(57)【要約】【課題】  異物の侵入を防ぎ、かつ釦部材の操作性を向上させることができる押釦構造および時計を提供する。【解決手段】  腕時計ケース１の貫通孔１０に筒状部材１１の軸挿入筒部１４が挿入され、この筒状部材１１の軸挿入筒部１４に釦部材１２の釦軸部２０が挿入すると共に、筒状部材１１の釦挿入筒部１５に釦部材１２の釦頭部２１が挿入し、この釦部材１２がコイルばね１３によって押し出される方向に付勢された押釦構造であって、釦頭部２１の外周面に防水リング２４を設け、釦挿入筒部１５の内周面に、釦部材１２が押し出される方向に移動した際に防水リング２４が圧接する圧接面２６と、釦部材１２が押し込まれる方向に移動した際に防水リング２４の圧接を解除する解除面２７とを設けた。従って、圧接面２６に防水リング２４を圧接させて異物の侵入を防ぎ、防水リング２４を解除面２７に移動させて、圧接面２６に対する防水リング２４の圧接を解除できる。【選択図】        図２
2014149219.tif 000002
【特許請求の範囲】
【請求項１】
貫通孔を有するケースと、
このケースの前記貫通孔に挿入される軸挿入筒部および前記ケースの外部に位置する釦挿入筒部を有する筒状部材と、
この筒状部材の前記軸挿入筒部内にスライド可能に挿入する釦軸部および前記釦挿入筒部内にスライド可能に挿入する釦頭部を有する釦部材と、
この釦部材を押し出す方向に付勢する付勢部材と
を備え、
前記釦部材の前記釦頭部の外周面と前記筒状部材の前記釦挿入筒部の内周面との一方には、防水リングが環状に設けられており、
前記釦部材の前記釦頭部の外周面と前記筒状部材の前記釦挿入筒部の内周面との他方には、前記釦部材が押し出される方向に移動した際に前記防水リングが圧接する圧接面と、前記釦部材が押し込まれる方向に移動した際に前記防水リングの圧接を解除して前記防水リングがスライドする解除面とが設けられていることを特徴とする押釦構造。
【請求項２】
請求項１に記載の押釦構造において、前記防水リングは前記釦部材の前記釦頭部の外周面に設けられており、前記圧接面と前記解除面とは前記筒状部材の前記釦挿入筒部の内周面に設けられていることを特徴とする押釦構造。
【請求項３】
請求項１または請求項２に記載の押釦構造において、前記釦挿入筒部の前記解除面は、前記防水リングが接触した状態でスライドすることを特徴とする押釦構造。
【請求項４】
請求項１〜請求項３のいずれかに記載の押釦構造において、前記圧接面と前記解除面との境界部には、段差部が傾斜して設けられていることを特徴とする押釦構造。
【請求項５】
請求項１〜請求項４のいずれかに記載の押釦構造において、前記付勢部材は、コイルばねであり、前記釦部材の前記釦頭部と前記筒状部材の前記釦挿入筒部との間に位置する前記釦軸部の外周に配置されていることを特徴とする押釦構造。
【請求項６】
請求項１〜請求項５のいずれかに記載の押釦構造を備えていることを特徴とする時計。
【発明の詳細な説明】
【技術分野】
【０００１】
この発明は、時計などの電子機器に用いられる押釦構造およびそれを備えた時計に関する。
【背景技術】
【０００２】
例えば、腕時計の押釦構造においては、特許文献１に記載されているように、腕時計ケースに貫通孔を設け、この貫通孔に釦部材の釦軸部をスライド可能に挿入し、この釦軸部に設けられた釦頭部を腕時計ケースの外部に突出させ、この突出した釦頭部を押し込むことにより、腕時計ケース内に位置する釦軸部の端部で腕時計ケース内のスイッチ部を押圧するように構成されたものが知られている。
【先行技術文献】
【特許文献】
【０００３】
【特許文献１】特開２００７−２５６０６７号公報
【０００４】
この場合、腕時計ケースの貫通孔は、釦部材の釦軸部が挿入する軸孔部と、釦頭部が出没可能に挿入する頭部孔部とを有している。この貫通孔の軸孔部内には、補助パイプが設けられており、この補助パイプ内には、釦軸部が防水パッキンを介して挿入されている。また、貫通孔の頭部孔部と釦部材の釦頭部との間に位置する釦軸部の外周には、釦頭部を腕時計ケースの外部に向けて押し出す方向に付勢するコイルばねが配置されている。さらに、腕時計ケース内に突出した釦軸部の端部には、釦部材が腕時計ケースから外部に抜け出すのを防ぐための抜止め部材が取り付けられている。
【０００５】
このような押釦構造は、通常はコイルばねのばね力によって釦部材の釦頭部が押し出されて貫通孔の頭部孔部から腕時計ケースの外部に突出し、この突出した釦頭部をコイルばねのばね力に抗して押し込むと、釦軸部が腕時計ケースの貫通孔の軸孔部内に設けられた補助パイプ内をスライドして、釦頭部が貫通孔の頭部孔部内に挿入すると共に、釦軸部の端部が腕時計ケース内のスイッチ部を押圧してスイッチ動作させるように構成されている。
【発明の概要】
【発明が解決しようとする課題】
【０００６】
しかしながら、このような押釦構造では、コイルばねのばね力によって釦部材の釦頭部が押し出されて貫通孔の頭部孔部から腕時計ケースの外部に突出した状態のときに、貫通孔の頭部孔部と釦部材の釦頭部との間に隙間が生じるため、この隙間から貫通孔の頭部孔部内に砂や泥、塵埃などの異物が侵入し、この異物によって釦部材の操作性が低下するという問題がある。
【０００７】
この発明が解決しようとする課題は、異物の侵入を防ぎ、かつ釦部材の操作性を向上させることができる押釦構造および時計を提供することである。
【課題を解決するための手段】
【０００８】
この発明は、貫通孔を有するケースと、このケースの前記貫通孔に挿入される軸挿入筒部および前記ケースの外部に位置する釦挿入筒部を有する筒状部材と、この筒状部材の前記軸挿入筒部内にスライド可能に挿入する釦軸部および前記釦挿入筒部内にスライド可能に挿入する釦頭部を有する釦部材と、この釦部材を押し出す方向に付勢する付勢部材とを備え、
前記釦部材の前記釦頭部の外周面と前記筒状部材の前記釦挿入筒部の内周面との一方には、防水リングが環状に設けられており、前記釦部材の前記釦頭部の外周面と前記筒状部材の前記釦挿入筒部の内周面との他方には、前記釦部材が押し出される方向に移動した際に前記防水リングが圧接する圧接面と、前記釦部材が押し込まれる方向に移動した際に前記防水リングの圧接を解除して前記防水リングがスライドする解除面とが設けられていることを特徴とする押釦構造である。
【発明の効果】
【０００９】
この発明によれば、付勢部材の付勢力によって釦部材が押し出される方向に移動した際に、防水リングを圧接面に圧接させることができるので、釦挿入筒部内に砂や泥、塵埃などの異物が侵入を確実に防ぐことができ、また付勢部材の付勢力に抗して釦部材が押し込まれる方向に移動した際に、防水リングを解除面に移動させて、圧接面に対する防水リングの圧接を解除することができるので、防水リングを円滑にスライドさせることができ、これにより釦部材の操作荷重を軽くすることができるので、釦部材の操作性を向上させることができる。
【図面の簡単な説明】
【００１０】
【図１】この発明を腕時計に適用した一実施形態における要部を示した拡大正面図である。
【図２】図１に示された腕時計のＡ−Ａ矢視における要部の拡大断面図である。
【図３】図２に示された押釦スイッチのＢ部を示した拡大断面図である。
【図４】図２に示された押釦スイッチの釦部材を腕時計ケース内に向けて押し込んだ状態を示した要部の拡大断面図である。
【図５】図４に示された押釦スイッチのＣ部を示した拡大断面図である。
【図６】図５に示された押釦スイッチの解除面の第１変形例を示した要部の拡大断面図である。
【図７】図２に示された押釦スイッチの第２変形例を示した要部の拡大断面図である。
【発明を実施するための形態】
【００１１】
以下、図１〜図５を参照して、この発明を腕時計に適用した一実施形態について説明する。
この腕時計は、図１に示すように、腕時計ケース１を備えている。この腕時計ケース１の１２時側と６時側（図示せず）との各側面部には、バンド取付部２がそれぞれ設けられている。また、この腕時計ケース１の３時側の側面部には、押釦スイッチ３が設けられている。
【００１２】
この腕時計ケース１の上部開口部には、図１および図２に示すように、時計ガラス４がパッキン４ａを介して取り付けられている。また、この腕時計ケース１の下部には、裏蓋５が防水リング５ａを介して取り付けられている。さらに、この腕時計ケース１の内部には、時計モジュール６が設けられている。この時計モジュール６は、文字板、回路基板などの時計機能に必要な各種の部品（図示せず）を備えている。
【００１３】
ところで、押釦スイッチ３は、図１〜図５に示すように、押圧操作に応じてスイッチ動作するものであり、腕時計ケース１に設けられた押釦部７と、時計モジュール６に設けられたスイッチ部８とを備えている。押釦部７は、腕時計ケース１に設けられた貫通孔１０に挿入されて固定された筒状部材１１と、この筒状部材１１内にスライド可能に挿入する釦部材１２と、この釦部材１２を押し出す方向に付勢するコイルばね１３とを備えている。
【００１４】
この場合、腕時計ケース１の貫通孔１０は、図２および図４に示すように、腕時計ケース１側に小径孔部１０ａが設けられた段差状に形成されている。筒状部材１１は、腕時計ケース１の貫通孔１０内に挿入される軸挿入筒部１４と、腕時計ケース１の外部に位置する釦挿入筒部１５とを有している。
【００１５】
この筒状部材１１の軸挿入筒部１４は、図２および図４に示すように、その外周面が貫通孔１０の小径孔部１０ａに挿入して腕時計ケース１内に突出する小径筒部１４ａと、貫通孔１０内に挿入して腕時計ケース１の外端部に位置する大径筒部１４ｂとを有する段差状に形成されている。この場合、大径筒部１４ｂの外周面には、複数の防水パッキン１４ｃがそれぞれ環状に設けられている。
【００１６】
この防水パッキン１４ｃは、図２および図４に示すように、リング状に形成され、その外周面が貫通孔１０の内周面に圧接して気密性を確保するように構成されている。また、小径筒部１４ａと大径筒部１４ｂとの内部には、同じ内径の孔が連続して形成されている。そして、軸挿入筒部１４の内端部、つまり腕時計ケース１内に位置する軸挿入筒部１４の内端部には、腕時計ケース１の貫通孔１０内に筒状部材１１を固定するための抜止めリング１６が取り付けられている。
【００１７】
また、この筒状部材１１の釦挿入筒部１５は、図２および図４に示すように、軸挿入筒部１４の外径よりも十分に大きい外径を有する筒状に形成され、腕時計ケース１の外部に首部１７を介して配置されるように構成されている。この釦挿入筒部１５の内部には、釦部材１２の後述する釦頭部２１が挿入する挿入穴１８が形成されている。また、首部１７は、軸挿入筒部１４の外径よりも大きく、かつ釦挿入筒部１５の外径よりも小さく形成され、その内端面が腕時計ケース１の外側面に当接するように構成されている。
【００１８】
一方、釦部材１２は、図２および図４に示すように、筒状部材１１の軸挿入筒部１４内にスライド可能に挿入する釦軸部２０と、筒状部材１１の釦挿入筒部１５の挿入穴１８内にスライド可能に挿入する釦頭部２１とを有している。釦軸部２０の外周面には、複数の防水パッキン２０ａがそれぞれ環状に設けられている。この防水パッキン２０ａは、リング状に形成され、その外周面が軸挿入筒部１４の内周面に圧接した状態で軸方向に沿って摺動するように構成されている。
【００１９】
また、この釦軸部２０は、図２および図４に示すように、その内端部が筒状部材１１の軸挿入筒部１４から腕時計ケース１内に突出し、外端部が筒状部材１１の軸挿入筒部１４から釦挿入筒部１５内に突出するように構成されている。この場合、釦軸部２０の内端部には、釦部材１２が腕時計ケース１の外部に抜け出すのを防ぐための抜止めリング２２が取り付けられている。
【００２０】
一方、釦頭部２１は、図２および図４に示すように、筒状部材１１の釦挿入筒部１５内に設けられた挿入穴１８の内径とほぼ同じ大きさの外径を有するキャップ状に形成されている。この釦頭部２１は、その軸方向の長さが釦挿入筒部１５の挿入穴１８内の深さ、つまり挿入穴１８内における軸方向の長さよりも少し長く形成されている。これにより、釦軸部２１は、その外端部が常に釦挿入筒部１５から外部に突出するように構成されている。
【００２１】
また、この釦頭部２１は、図２および図４に示すように、その内部における軸中心に軸部２３が形成され、この軸部２３の内端部に釦軸部２０の外端部が一体に連結され、これにより釦軸部２０と共に回転およびスライドするように構成されている。この場合、軸部２３は、その外径が釦軸部２０の外径よりも大きく形成されている。
【００２２】
この釦部材１２は、図２および図４に示すように、コイルばね１３のばね力によって腕時計ケース１の外部に向けて押し出される方向に付勢されるように構成されている。すなわち、コイルばね１３は、釦部材１２の釦頭部２１における軸部２３の内端面と筒状部材１１の釦挿入筒部１５における首部１６の外端面との間に位置する釦軸部１４の外周に配置されている。
【００２３】
これにより、釦部材１２は、図２に示すように、通常状態のときに、コイルばね１３のばね力によって腕時計ケース１の外部に向けて押し出される方向に付勢されて押し出され、釦軸部２０の内端部に取り付けられた抜止めリング２２が筒状部材１１の軸挿入筒部１４の内端部に当接して押出位置が規制されるように構成されている。
【００２４】
また、この釦部材１２は、図４に示すように、釦頭部２１がコイルばね１３のばね力に抗して腕時計ケース１の内部に向けて押し込まれた際に、釦頭部２１が筒状部材１１の釦挿入筒部１５内に設けられた挿入穴１８内に押し込まれると共に、釦軸部２０が筒状部材１１の軸挿入筒部１４内をスライドして、釦軸部２０の内端部が腕時計ケース１内に押し込まれ、この押し込まれた釦軸部２０の内端部が時計モジュール６のスイッチ部８を押圧してスイッチ動作させるように構成されている。
【００２５】
この場合、スイッチ部８は、図２および図４に示すように、時計モジュール６の３時側に位置する側部に設けられ、釦部材１２の釦頭部２１がコイルばね１３のばね力に抗して腕時計ケース１の内部に向けて押し込まれた際に、釦軸部２０の内端部が腕時計ケース１内に押し込まれ、この押し込まれた釦軸部２０の内端部によって押圧されてスイッチ動作するように構成されている。
【００２６】
ところで、釦頭部２１の外周面には、図２〜図５に示すように、防水リング２４が環状に設けられている。この防水リング２４は、ゴムなどの弾性材料からなり、断面が円形のリング形状に形成されている。また、この防水リング２４は、釦頭部２１の外周面に形成された環状溝２５内に嵌め込まれた状態で、その最外周部が釦頭部２１の外周面から突出するように構成されている。
【００２７】
一方、筒状部材１１の釦挿入筒部１５における挿入穴１８の内周面には、図２〜図５に示すように、釦部材１１が押し出される方向に移動した際に防水リング２４の最外周部が圧接する圧接面２６と、釦部材１１が押し込まれる方向に移動した際に防水リング２４の圧接を解除して防水リング２４をスライドさせる解除面２７とが設けられている。
【００２８】
この場合、圧接面２６は、図２〜図５に示すように、筒状部材１１の釦挿入筒部１５の挿入穴１８内における腕時計ケース１の外部側（図２では左側）に設けられた内周面であり、その内径が釦部材１２の釦頭部２１の外径とほぼ同じか、それよりも僅かに小さい大きさに形成されている。
【００２９】
また、解除面２７は、図２〜図５に示すように、筒状部材１１の釦挿入筒部１５の挿入穴１８における腕時計ケース１側（図２では右側）に設けられた内周面であり、その内径が釦部材１２の釦頭部２１の外周面に設けられた防水リング２４の外径とよりも少し大きい径に形成されている。
【００３０】
また、圧接面２６と解除面２７との境界部には、図２〜図５に示すように、段差部２８が形成されている。この段差部２８は、腕時計ケース１の外側に位置する圧接面２６の内端部から腕時計ケース１側に位置する解除面２７の外端部に向けて傾斜する傾斜面に形成されている。
【００３１】
これにより、防水リング２４は、図２および図３に示すように、釦部材１１がコイルばね１３のばね力によって押し出される際に、解除面２７から段差部２８の傾斜面に沿って徐々に圧接力が増大しながら圧接面２６に移動して圧接するように構成されている。また、この防水リング２４は、図４および図５に示すように、釦部材１１がコイルばね１３のばね力に抗して押し込まれる際に、圧接面２６から段差部２８の傾斜面に沿って徐々に圧接力が軽減されながら解除面２７に移動して圧接力が解除され、この状態で解除面２７に沿って非接触状態でスライドするように構成されている。
【００３２】
次に、このような腕時計の押釦スイッチ３の作用について説明する。
この押釦スイッチ３は、図２および図３に示すように、通常状態のときに、コイルばね１３のばね力によって釦部材１２が腕時計ケース１の外部に向けて押し出される。すなわち、コイルばね１３のばね力によって釦部材１２が押し出される際には、釦部材１２の釦軸部２０が筒状部材１１の軸挿入筒部１４内をスライドすると共に、釦頭部２１が筒状部材１１の釦挿入筒部１５の挿入穴１８内をスライドして押し出される。
【００３３】
このときには、釦部材１２の釦軸部２０の防水パッキン２０ａが筒状部材１１の軸挿入筒部１４の内周面に圧接した状態で摺動し、釦軸部２０の内端部に取り付けられた抜止めリング２２が筒状部材１１の軸挿入筒部１４の内端部に当接して釦部材１２の押出位置が規制される。また、このときには、釦頭部２１の外周面に設けられた防水リング２４の最外周部が、釦挿入筒部２１の内周面に設けられた圧接面２６と解除面２７との境界部の段差部２８を乗り越える際に、防水リング２４が段差部２８の傾斜面に沿って圧接力を徐々に増大させながら圧接面２６に移動して圧接する。
【００３４】
この状態では、防水リング２４の外周部が釦挿入筒部２１の圧接面２６に圧接していることにより、釦部材１２の釦頭部２１の外周面と筒状部材１１の釦挿入筒部２１における挿入穴１８の内周面との間に隙間があっても、その隙間が防水リング２４によって密閉される。このため、釦頭部２１の外周面と釦挿入筒部２１の挿入穴１８の内周面との間の隙間から釦挿入筒部２１の挿入穴１８内に、砂や泥、塵埃などの異物が侵入するのを確実に防ぐことができる。
【００３５】
一方、釦部材１２の釦頭部２１をコイルばね１３のばね力に抗して腕時計ケース１の内部に向けて押し込むと、図４および図５に示すように、釦部材１２の釦軸部２０が筒状部材１１の軸挿入筒部１４内をスライドすると共に、釦頭部２１が筒状部材１１の釦挿入筒部１５の挿入穴１８内にスライドして押し込まれる。これにより、釦部材１２の釦軸部２０の内端部が腕時計ケース１内の時計モジュール６に向けて突出し、この突出した釦軸部２０の内端部が時計モジュール６のスイッチ部８を押圧してスイッチ動作させる。
【００３６】
このときには、釦部材１２の釦軸部２０の防水パッキン２０ａが筒状部材１１の軸挿入筒部１４の内周面に圧接した状態で摺動する。また、このときには、釦頭部２１の外周面に設けられた防水リング２４の最外周部が、釦挿入筒部２１の内周面に設けられた圧接面２６と解除面２７との境界部の段差部２８を乗り越える際に、防水リング２４が段差部２８の傾斜面に沿って圧接力を徐々に軽減させながら解除面２７に移動して防水リング２４の圧接力が解除される。
【００３７】
このため、釦部材１２の釦頭部２１をコイルばね１３のばね力に抗して腕時計ケース１の内部に向けて押し込む際には、防水リング２４の圧接力が段差部２８の傾斜面に沿って徐々に軽減されるので、防水リング２４が円滑にスライドする。この場合、防水リング２４が解除面２７に対して非接触状態でスライドするので、釦部材１２の操作荷重が軽くなり、釦部材１２の操作性が向上する。
【００３８】
このように、この腕時計の押釦構造によれば、腕時計ケース１の貫通孔１０に筒状部材１１の軸挿入筒部１４を挿入し、この軸挿入筒部１４内に釦部材１２の釦軸部２０をスライド可能に挿入すると共に、筒状部材１１の釦挿入筒部２１内に釦部材１２の釦頭部２１をスライド可能に挿入し、この状態で釦部材１２をコイルばね１３によって押し出す方向に付勢した押釦構造であって、釦頭部２１の外周面に防水リング２４を設け、釦挿入筒部１５の内周面に、釦部材１２が押し出される方向に移動した際に防水リン２４グが圧接する圧接面２６と、釦部材１２が押し込まれる方向に移動した際に防水リング２４の圧接を解除してスライドさせる解除面２７とを設けたことにより、釦挿入筒部１５内への異物の侵入を防ぎ、かつ釦部材１２の操作性を向上させることができる。
【００３９】
すなわち、この押釦構造では、コイルばね１３のばね力によって釦部材１２が押し出される方向に移動した際に、筒状部材１１の釦挿入筒部１５の圧接面２６に釦頭部２１の防水リング２４を圧接させることができるので、釦頭部２１と釦挿入筒部１５との間に隙間があっても、この隙間を防水リング２４によって密閉することができ、これにより釦挿入筒部１５内に砂や泥、塵埃などの異物が侵入を確実に防ぐことができる。
【００４０】
また、この押釦構造では、コイルばね１３のばね力に抗して釦部材１２が押し込まれる方向に移動した際に、釦頭部２１の防水リング２４を釦挿入筒部１５の解除面２７に移動させて、釦挿入筒部１５の圧接面２６に対する防水リング２４の圧接を解除することができるので、防水リング２４を円滑にスライドさせることができ、これにより釦部材１２の操作荷重を軽くすることができるので、釦部材１２の操作性を向上させることができる。
【００４１】
この場合、釦挿入筒部１５の圧接面２６と解除面２７との境界部には、段差部２８が傾斜して設けられていることにより、釦部材１１がコイルばね１３のばね力によって押し出される際に、防水リング２４を解除面２７から段差部２８の傾斜面に沿って徐々に移動させることができるので、防水リング２４の圧接力を徐々に増大させながら、防水リング２４を圧接面２６に移動させて圧接させることができ、これにより釦頭部２１と釦挿入筒部１５との間の隙間を防水リング２４によって確実に密閉することができる。
【００４２】
また、釦部材１１がコイルばね１３のばね力に抗して押し込まれる際には、防水リング２４を圧接面２６から段差部２８の傾斜面に沿って徐々に移動させることができるので、防水リング２４の圧接力を徐々に軽減させながら、防水リング２４を解除面２７に移動させて圧接力を解除することができ、これにより防水リング２４を円滑にスライドさせることができるので、釦部材１２の操作性を更に向上させることができる。
【００４３】
また、この押釦構造では、コイルばね１３が釦部材１２の釦頭部２１と筒状部材１１の釦挿入筒部１５との間に位置する釦軸部２０の外周に配置されていることにより、釦部材１２を釦軸部２０の軸方向に沿って確実にかつ良好に押し出す方向に付勢することができる。この場合、釦頭部２１には、釦軸部２０の外径よりも大きい外径の軸部２３が設けられているので、この軸部２３の内端面にコイルばね１３の外端部を弾接させることができ、これによりコイルばね１３を安定した状態で配置することができる。
【００４４】
また、この押釦構造では、腕時計ケース１内に突出した釦部材１２の釦軸部２０の端部に、釦部材１２が腕時計ケース１から外部に抜け出すのを防ぐための抜止めリング２２が設けられていることにより、防水リング２４を釦挿入筒部２１の圧接面２６に確実に圧接させるためにコイルばね１３のばね力を強くしても、釦部材１２の抜止めリング２２を筒状部材１１の軸挿入筒部１４の内端部に確実に当接させることができるので、釦部材１２の押出位置を規制して、釦部材１２が腕時計ケース１から外部に抜け出すのを確実に防ぐことができる。
【００４５】
さらに、この押釦構造では、釦部材１２の釦軸部２０の外周面に、筒状部材１１の軸挿入筒部１４の内周面に圧接して摺動する防水パッキン２０ａが環状に設けられていることにより、釦部材１２の釦軸部２０の外周面と筒状部材１１の軸挿入筒部１４の内周面との間に隙があっても、その隙間を防水パッキン２０ａによって密閉することができ、これにより腕時計ケース１内に水などが浸入するのを確実に防ぐことができるので、防水性を確保することができる。
【００４６】
なお、上述した実施形態では、防水リング２４が釦挿入筒部１５の解除面２７に沿って非接触状態でスライドするように構成した場合について述べたが、これに限らず、例えば図６に示す第１変形例のように、解除面３０の内径を釦部材１２の釦頭部２１の外周面に設けられた防水リング２４の最外径と同じ大きさの径で形成し、防水リング２４の最外周部を釦挿入筒部１５の解除面３０に圧接させることなく接触させた状態でスライドするように構成して良い。
【００４７】
このような構成にすれば、防水リング２４の最外周部が釦挿入筒部１５の解除面３０に接触して摺動することにより、釦部材１２がコイルばね１３のばね力に抗して腕時計ケース１の内部に押し込まれた際に、釦頭部２１の外周面と釦挿入筒部２１の解除面３０との間の隙間から釦挿入筒部２１内に、砂や泥、塵埃などの異物が侵入するのを抑制することができる。
【００４８】
この場合、防水リング２４よりも腕時計ケース１の外部側に位置する釦頭部２１の外周面と釦挿入筒部２１の解除面３０との間に、砂や泥、塵埃などの異物が侵入しても、釦部材１２がコイルばね１３のばね力によって押し出される際に、侵入した砂や泥、塵埃などの異物を防止リング２４によって圧接面２６と釦頭部２１の外周面との間に押し出すことができるので、長期間に亘って釦部材１２の操作性を向上させることができる。
【００４９】
また、上述した実施形態では、釦部材１２の釦頭部２１の外周面に防水リング２４を設け、筒状部材１１の釦挿入筒部１５の内周面に、防水リング２４が圧接する圧接面２６と、防水リング２４の圧接を解除する解除面２７とを設けた場合について述べたが、これに限らず、例えば図７に示す第２変形例のように、筒状部材１１の釦挿入筒部１５の内周面に環状溝２５を設け、この環状溝２５に防水リング３１を内周側に突出させて設け、釦部材１２の釦頭部２１の外周面に、防水リング３１が圧接する圧接面３２と、防水リング３１の圧接を解除する解除面３３とを設けた構成でも良い。
【００５０】
この場合には、腕時計ケース１側に位置する釦部材１２の釦頭部２１の外周面に圧接面３２を設け、腕時計ケース１の外部側に位置する釦部材１２の釦頭部２１の外周面に解除面３３を設ければ良い。また、この釦頭部２１の外周面における圧接面３２と解除面３３との境界部に、段差部３４を傾斜させて設ければ良い。このように構成しても、上述した実施形態と同様の作用効果がある。
【００５１】
また、上述した実施形態では、付勢部材としてコイルばね１３を用いた場合について述べたが、必ずしもコイルばね１３を用いる必要はなく、板ばねなどのばね部材を用いても良く、またゴムなどの弾性部材を用いても良い。
【００５２】
さらに、上述した実施形態では、腕時計に適用した場合について述べたが、必ずしも腕時計である必要はなく、例えばトラベルウオッチ、目覚まし時計、置き時計、掛け時計などの各種の時計に適用することができるほか、必ずしも時計に限らず、押釦スイッチを有する電子機器に広く適用することができる。
【００５３】
以上、この発明の一実施形態および第１、第２の各変形例について説明したが、この発明は、これらに限られるものではなく、特許請求の範囲に記載された発明とその均等の範囲を含むものである。
以下に、本願の特許請求の範囲に記載された発明を付記する。
【００５４】
（付記）
請求項１に記載の発明は、貫通孔を有するケースと、このケースの前記貫通孔に挿入される軸挿入筒部および前記ケースの外部に位置する釦挿入筒部を有する筒状部材と、この筒状部材の前記軸挿入筒部内にスライド可能に挿入する釦軸部および前記釦挿入筒部内にスライド可能に挿入する釦頭部を有する釦部材と、この釦部材を押し出す方向に付勢する付勢部材とを備え、前記釦部材の前記釦頭部の外周面と前記筒状部材の前記釦挿入筒部の内周面との一方には、防水リングが環状に設けられており、前記釦部材の前記釦頭部の外周面と前記筒状部材の前記釦挿入筒部の内周面との他方には、前記釦部材が押し出される方向に移動した際に前記防水リングが圧接する圧接面と、前記釦部材が押し込まれる方向に移動した際に前記防水リングの圧接を解除して前記防水リングがスライドする解除面とが設けられていることを特徴とする押釦構造である。
【００５５】
請求項２に記載の発明は、請求項１に記載の押釦構造において、前記防水リングは前記釦部材の前記釦頭部の外周面に設けられており、前記圧接面と前記解除面とは前記筒状部材の前記釦挿入筒部の内周面に設けられていることを特徴とする押釦構造である。
【００５６】
請求項３に記載の発明は、請求項１または請求項２に記載の押釦構造において、前記釦挿入筒部の前記解除面は、前記防水リングが接触した状態でスライドすることを特徴とする押釦構造である。
【００５７】
請求項４に記載の発明は、請求項１〜請求項３のいずれかに記載の押釦構造において、前記圧接面と前記解除面との境界部には、段差部が傾斜して設けられていることを特徴とする押釦構造である。
【００５８】
請求項５に記載の発明は、請求項１〜請求項４のいずれかに記載の押釦構造において、前記付勢部材は、コイルばねであり、前記釦部材の前記釦頭部と前記筒状部材の前記釦挿入筒部との間に位置する前記釦軸部の外周に配置されていることを特徴とする押釦構造である。
【００５９】
請求項６に記載の発明は、請求項１〜請求項５のいずれかに記載の押釦構造を備えていることを特徴とする時計である。
【符号の説明】
【００６０】
１  腕時計ケース
３  押釦スイッチ
６  時計モジュール
７  押釦部
８  スイッチ部
１０  貫通孔
１１  筒状部材
１２  釦部材
１３  コイルばね
１４  軸挿入筒部
１５  釦挿入筒部
１８  挿入穴
２０  釦軸部
２０ａ  防水パッキン
２１  釦頭部
２２  抜止めリング
２４、３１  防水リング
２５  環状溝
２６、３２  圧接面
２７、３０、３３  解除面
２８、３４  段差部
【図１】
2014149219.tif 000003
【図２】
2014149219.tif 000004
【図３】
2014149219.tif 000005
【図４】
2014149219.tif 000006
【図５】
2014149219.tif 000007
【図６】
2014149219.tif 000008
【図７】
2014149219.tif 000009